(57)【要約】【課題】省電力機能毎に省電力の状況を記録、監視することのできる照明制御システムを提供する。【解決手段】照明制御システム１は、第１〜第５の制御の期間および当該期間における照明器具２の調光率からそれぞれ第１〜第５の制御における照明器具２の消費電力量および省電力機能による低減された電力量を演算するとともに、少なくとも予め算出されている照明器具２の定格電力に対する消費電力比率または消費電力低減率を演算するように構成された演算手段４５と、照明器具２の消費電力量、消費電力比率または消費電力低減率および前記低減された電力量を着脱可能な記録媒体４７に記録可能に構成された記録手段４６を具備する。【選択図】図１
2005135816.tif 000002
【特許請求の範囲】
【請求項１】
照明器具が照明する照明エリアの照度を検出する照度センサと；
照明エリアの照度が予め設定した目標照度となるように照度センサの検出値に応じて照明器具の調光率を制御するとともに、予め設定されたタイムスケジュールに応じて照明器具を消灯または予め設定した調光率で調光点灯させ、または、照明エリア内の人の存否を検出する人感センサが人の存在を検出しないときに照明器具を消灯または予め設定した調光率で調光点灯させ、あるいは、手動スイッチから照明器具を強制消灯させる制御信号が送出されたときに照明器具を消灯させるように制御することができるように構成された制御手段と；
照度センサの検出値に応じて照明器具の調光率が制御されている期間と、または、制御手段が前記タイムスケジュール制御、人感センサによる制御および手動スイッチの制御信号による制御のいずれかの制御に応じて制御しているときの期間と、それぞれの期間における照明器具の調光率から実際の照明器具の消費電力量を演算し、かつそれぞれの期間にわたり照明エリアが照明器具のみによって目標照度で照明されていると仮定したときの照明器具の消費電力量を演算して、それぞれの期間において仮定の消費電力量から実際の消費電力量を減じて、照度センサ、スケジュール制御、人感センサおよび手動スイッチによるそれぞれの省電力機能を利用することによって低減された電力量を演算するとともに、それぞれの期間において、少なくとも予め算出されている照明器具の定格電力に対する照明器具の消費電力比率または消費電力低減率を演算するように構成された演算手段と；
それぞれの制御の期間における少なくとも照明器具の消費電力量、消費電力比率または消費電力低減率および前記低減された電力量を記憶する不揮発性の記憶手段と；
記憶手段に記憶されている照明器具の消費電力量、消費電力比率または消費電力低減率および前記低減された電力量を着脱可能な記録媒体に記録可能に構成された記録手段と；
を具備していることを特徴とする照明制御システム。
【請求項２】
照明エリアの照度を検出する照度センサと；
照明エリア内の人の存否を検出する人感センサと；
照明エリアを照明する照明器具を強制消灯させる制御信号を送出するように構成された手動スイッチと；
照明エリアの照度が予め設定した目標照度となるように照明器具の調光率を変化させる第１の制御、照度センサからの検出値に応じて照明エリアの照度が予め設定した目標照度となるように照明器具の調光率を変化させる第２の制御、予め設定された時刻に照明器具を消灯または予め設定した調光率で調光点灯させ、所定時間後に照明器具を点灯させる第３の制御、人感センサが人の存在を検出しないときに照明器具を消灯または予め設定した調光率で調光点灯させる第４の制御および手動スイッチから照明器具を強制消灯させる制御信号が送出されたときに照明器具を消灯させる第５の制御を有するように構成された制御手段と；
第１〜第５の制御のそれぞれの期間およびそれぞれの期間における照明器具の調光率からそれぞれ第１〜第５の制御における実際の照明器具の消費電力量を演算し、かつ、それぞれの期間にわたり照明エリアが照明器具のみによって目標照度で照明されていると仮定したときの照明器具の消費電力量を演算して、それぞれの期間において仮定の消費電力量から実際の消費電力量を減じて、照度センサ、スケジュール制御、人感センサおよび手動スイッチによるそれぞれの省電力機能を利用することによって低減された電力量を演算するとともに、第１〜第５の制御のそれぞれの期間において、少なくとも予め算出されている照明器具の定格電力に対する照明器具の消費電力比率または消費電力低減率を演算するように構成された演算手段と；
第１〜第５の制御のそれぞれの期間における少なくとも照明器具の消費電力量、消費電力比率または消費電力低減率および前記低減された電力量を記憶する不揮発性の記憶手段と；
記憶手段に記憶されている照明器具の消費電力量、消費電力比率または消費電力低減率および前記低減された電力量を着脱可能な記録媒体に記録可能に構成された記録手段と；
を具備していることを特徴とする照明制御システム。
【請求項３】
演算手段は、所定期間毎に、少なくとも消費電力比率または消費電力低減率を演算することを特徴とする請求項１または２記載の照明制御システム。
【請求項４】
演算手段は、予め設定された日にちおよび予め設定された所定期間にわたって少なくとも消費電力比率または消費電力低減率を演算することを特徴とする請求項１ないし３いずれか一記載の照明制御システム。
【請求項５】
演算手段は、１日のうちで最も大きい照明器具の調光率を照明エリアの照度が照明器具のみによる照明で目標照度となる照明器具の調光率に設定することを特徴とする請求項１ないし４いずれか一記載の照明制御システム。
【発明の詳細な説明】
【技術分野】
【０００１】
本発明は、省電力のために照明を管理する照明制御システムに関する。
【背景技術】
【０００２】
従来、省電力対策として、調光センサによる制御やタイムスケジュールによる制御などが行われている。調光センサによる制御として、例えば照度センサを用いた窓際照明の昼光利用や適正照度（目標照度）による照明、人感センサを用いた不在時における照明器具の調光、消灯などがある。
【０００３】
そして、省電力状態を維持、管理する上から、照明器具の点灯や消灯の累積時間や累積消費電力を記録することが行われている。例えば、光センサにより照明器具の点灯・消灯を監視し、消灯すべき時刻に消灯されていない場合は警報を発して注意を喚起するとともに、照明器具の点灯時間を記録し、この照明器具の点灯時間と消費電力から積算消費電力を算出して表示部に表示する照明節電監視装置が提供されている（例えば、特許文献１参照。）。この照明節電監視装置は、例えば照明器具の消灯すべき時刻以降に消費した積算消費電力をメモリ部に記録し、表示部に表示するように構成されている。
【特許文献１】特開２００１−１０２１８４号公報（第３頁、第２図）
【発明の開示】
【発明が解決しようとする課題】
【０００４】
特許文献１は、調光センサによる制御やタイムスケジュールによる制御など、各省電力機能による記録が行われていないので、詳細な分析や管理ができないという欠点を有する。
【０００５】
本発明は、省電力機能毎に省電力の状況を記録、監視することのできる照明制御システムを提供することを目的とする。
【課題を解決するための手段】
【０００６】
請求項１に記載の照明制御システムの発明は、照明器具が照明する照明エリアの照度を検出する照度センサと；照明エリアの照度が予め設定した目標照度となるように照度センサの検出値に応じて照明器具の調光率を制御するとともに、予め設定されたタイムスケジュールに応じて照明器具を消灯または予め設定した調光率で調光点灯させ、または、照明エリア内の人の存否を検出する人感センサが人の存在を検出しないときに照明器具を消灯または予め設定した調光率で調光点灯させ、あるいは、手動スイッチから照明器具を強制消灯させる制御信号が送出されたときに照明器具を消灯させるように制御することができるように構成された制御手段と；照度センサの検出値に応じて照明器具の調光率が制御されている期間と、または、制御手段が前記タイムスケジュール制御、人感センサによる制御および手動スイッチの制御信号による制御のいずれかの制御に応じて制御しているときの期間と、それぞれの期間における照明器具の調光率から実際の照明器具の消費電力量を演算し、かつそれぞれの期間にわたり照明エリアが照明器具のみによって目標照度で照明されていると仮定したときの照明器具の消費電力量を演算して、それぞれの期間において仮定の消費電力量から実際の消費電力量を減じて、照度センサ、スケジュール制御、人感センサおよび手動スイッチによるそれぞれの省電力機能を利用することによって低減された電力量を演算するとともに、それぞれの期間において、少なくとも予め算出されている照明器具の定格電力に対する照明器具の消費電力比率または消費電力低減率を演算するように構成された演算手段と；それぞれの制御の期間における少なくとも照明器具の消費電力量、消費電力比率または消費電力低減率および前記低減された電力量を記憶する不揮発性の記憶手段と；記憶手段に記憶されている照明器具の消費電力量、消費電力比率または消費電力低減率および前記低減された電力量を着脱可能な記録媒体に記録可能に構成された記録手段と；を具備していることを特徴とする。
【０００７】
本発明および以下の各発明において、特に言及しない限り、各構成は以下による。
【０００８】
照明器具は、照明エリアに可視光を放射するランプやこのランプを点灯させる点灯装置を包含する。また、照明器具は、通常、複数個の照明器具が天井に配設される。
【０００９】
照明器具から出射される光は、ランプの寿命にしたがい、あるいは照明器具の汚れ等にしたがい減少していく。したがって、当初、照明エリアには必要以上の照明器具が設置され、照明器具を調光して照明エリアを適正照度にしている。そして、照明器具から出射される光束の減少に応じて、照明器具の調光率をアップさせ、照明エリア内を適正照度に維持するようにしている。この適正照度が目標照度であり、照明器具をフル点灯させたときの照明エリアの照度から目標照度を減じた照度値が省エネ分となる。この場合、当該省エネ分に相当する電力量が低減された電力量となる。
【００１０】
照明制御システムは、少なくとも照度センサを具備していればよい。すなわち、人感センサ、手動スイッチおよび制御手段によるスケジュール制御は、全て具備されていなくてもよく、いずれかひとつが具備されていてもよい。
【００１１】
消費電力比率は、制御手段の照度センサの検出値に応じた制御、タイムスケジュール制御、人感センサに応じた制御および手動スイッチの制御信号に応じた制御のそれぞれに対して、照明器具の消費電力量を照明器具の定格電力および制御の期間で除算して算出され、消費電力低減率は、１００（％）−消費電力比率（％）で算出される。消費電力低減率は、省エネ率を表す。
【００１２】
また、省電力機能を利用することによって低減された電力量を照明器具の定格電力および制御の期間で除算して、省電力機能による消費電力低減率（省エネ率）として算出することができる。
【００１３】
記録媒体は、フロッピー（登録商標）ディスクなどの磁気ディスクや光ディスクなどの他、ペーパーを許容する。
【００１４】
本発明によれば、照度センサ、スケジュール制御、人感センサおよび手動スイッチによるそれぞれの省電力機能毎に、照明器具の消費電力量、消費電力比率または消費電力低減率、低減された電力量などが演算され、記録されるので、省電力の状況が詳細に監視される。
【００１５】
請求項２に記載の照明制御システムの発明は、照明エリアの照度を検出する照度センサと；照明エリア内の人の存否を検出する人感センサと；照明エリアを照明する照明器具を強制消灯させる制御信号を送出するように構成された手動スイッチと；照明エリアの照度が予め設定した目標照度となるように照明器具の調光率を変化させる第１の制御、照度センサからの検出値に応じて照明エリアの照度が予め設定した目標照度となるように照明器具の調光率を変化させる第２の制御、予め設定された時刻に照明器具を消灯または予め設定した調光率で調光点灯させ、所定時間後に照明器具を点灯させる第３の制御、人感センサが人の存在を検出しないときに照明器具を消灯または予め設定した調光率で調光点灯させる第４の制御および手動スイッチから照明器具を強制消灯させる制御信号が送出されたときに照明器具を消灯させる第５の制御を有するように構成された制御手段と；第１〜第５の制御のそれぞれの期間およびそれぞれの期間における照明器具の調光率からそれぞれ第１〜第５の制御における実際の照明器具の消費電力量を演算し、かつ、それぞれの期間にわたり照明エリアが照明器具のみによって目標照度で照明されていると仮定したときの照明器具の消費電力量を演算して、それぞれの期間において仮定の消費電力量から実際の消費電力量を減じて、照度センサ、スケジュール制御、人感センサおよび手動スイッチによるそれぞれの省電力機能を利用することによって低減された電力量を演算するとともに、第１〜第５の制御のそれぞれの期間において、少なくとも予め算出されている照明器具の定格電力に対する照明器具の消費電力比率または消費電力低減率を演算するように構成された演算手段と；第１〜第５の制御のそれぞれの期間における少なくとも照明器具の消費電力量、消費電力比率または消費電力低減率および前記低減された電力量を記憶する不揮発性の記憶手段と；記憶手段に記憶されている照明器具の消費電力量、消費電力比率または消費電力低減率および前記低減された電力量を着脱可能な記録媒体に記録可能に構成された記録手段と；を具備していることを特徴とする。
【００１６】
消費電力比率は、第１〜第５の制御のそれぞれに対して、照明器具の消費電力量を照明器具の定格電力および制御の期間で除算して算出され、消費電力低減率は、１００（％）−消費電力比率（％）で算出される。消費電力低減率は、省エネ率を表す。
【００１７】
第１の制御は、照明エリア内に外光がほとんど無い状態における照明制御であり、照明エリアが照明器具のみにより目標照度で照明される。したがって、照明エリアを目標照度で照明する照明器具の調光率、すなわち照明器具の消費電力が算出される。これにより、照明エリアを目標照度で照明することによる消費電力比率や消費電力低減率（省エネ率）などが上述したようにして算出される。
【００１８】
一方、第２の制御は、照明エリア内に昼光などの外光が入光している状態における照明制御であり、照明エリアを目標照度で照明させるために、外光に応じた照度センサからの検出値に応じて照明器具の調光率が減少される。したがって、外光により減少した照明器具の調光率の差分に相当する電力（低減された電力量）により、外光（照度センサ）の利用による消費電力低減率（省エネ率）が求められる。
【００１９】
第３の制御は、タイムスケジュールによる照明制御であり、例えば昼休み時間に照明器具が消灯または調光点灯される。したがって、目標照度に相当する消費電力または目標照度から調光点灯時の照度を減じた照度値に相当する消費電力が低減され、これにより、タイムスケジュール制御による消費電力低減率が求められる。
【００２０】
第４の制御は、人感センサによる照明制御であり、第３の制御と同様、人感センサによる消費電力低減率が求められる。
【００２１】
第５の制御は、手動スイッチによる照明制御であり、同じく手動スイッチの操作による消費電力の低減率が求められる。ここで、手動スイッチは、壁スイッチなどの他に、リモコンを許容する。
【００２２】
本発明によれば、第１〜第５の制御に基づき、省電力機能毎に、照明器具の消費電力量、消費電力比率または消費電力低減率および低減された電力量などが演算され、記録されるので、省電力の状況が詳細に監視される。
【００２３】
請求項３に記載の照明制御システムの発明は、請求項１または２記載の照明制御システムにおいて、演算手段は、所定期間毎に、少なくとも消費電力比率または消費電力低減率を演算することを特徴とする。
【００２４】
「所定期間」は、例えば５分、１０分など、分単位とすることができる。
【００２５】
本発明によれば、省電力機能毎に、所定期間毎の省電力の状況が詳細に監視可能である。
【００２６】
請求項４に記載の照明制御システムの発明は、請求項１ないし３いずれか一記載の照明制御システムにおいて、演算手段は、予め設定された日にちおよび予め設定された所定期間にわたって少なくとも消費電力比率または消費電力低減率を演算することを特徴とする。
【００２７】
「予め設定された日にち」とは、例えばオフィスにおける通常の出勤日であり、「予め設定された所定期間」とは、例えば通常の勤務時間である。
【００２８】
本発明によれば、予め設定された日にちおよび予め設定された所定期間における省電力の状況が省電力機能毎に詳細に監視可能である。
【００２９】
請求項５に記載の照明制御システムの発明は、請求項１ないし４いずれか一記載の照明制御システムにおいて、演算手段は、１日のうちで最も大きい照明器具の調光率を照明エリアの照度が照明器具のみによる照明で目標照度となる照明器具の調光率に設定することを特徴とする。
【００３０】
第１の制御における照明器具の調光率は、照明エリアに外光が無い状態であって、照明器具のみによって目標照度で照明されているときの照明器具の調光率である。この照明器具の調光率は、照明器具を少なくとも２段に調光させ、調光率および照度値の変化により演算することができる。しかしながら、照明器具の調光率を変化させると、照明エリアの明るさが変化するので、人に違和感や不快感を与えるおそれがある。
【００３１】
本発明によれば、１日のうちで最も大きい照明器具の調光率を外光が無い状態の照明エリアの目標照度における照明器具の調光率に設定するので、当該照明器具の調光率の算出に対する演算を要せず、簡易化される。
【発明の効果】
【００３２】
請求項１の発明によれば、省電力機能毎に、照明器具の消費電力量、消費電力比率または消費電力低減率、低減された電力量などが演算されるので、省電力の状況を詳細に記録、監視することができる。
【００３３】
請求項２の発明によれば、第１〜第５の制御における省電力機能毎に、照明器具の消費電力量、消費電力比率または消費電力低減率、低減された電力量などが演算されるので、省電力の状況を詳細に記録、監視することができる。
【００３４】
請求項３の発明によれば、所定期間毎に、少なくとも消費電力比率または消費電力低減率が演算されるので、省電力機能毎に、所定期間毎の省電力の状況を詳細に記録、監視することができる。
【００３５】
請求項４の発明によれば、予め設定された日にちおよび予め設定された所定期間にわたって少なくとも消費電力比率または消費電力低減率が演算されるので、予め設定された日にちおよび予め設定された所定期間における省電力の状況を省電力機能毎に詳細に記録、監視することができる。
【００３６】
請求項５の発明によれば、１日のうちで最も大きい照明器具の調光率を照明エリアの照度が照明器具のみによる照明で目標照度となる照明器具の調光率に設定するので、当該照明器具の調光率を簡易に算出することができる。
【発明を実施するための最良の形態】
【００３７】
以下、本発明の一実施の形態について、図面を参照して説明する。
【００３８】
図１〜図５は、本発明の一実施の形態を示し、図１は照明制御システムの概略構成図、図２は照明エリアの照明装置の構成図、図３はセンサ装置の斜視図、図４は照明制御装置の構成ブロック図、図５は、主制御装置の構成ブロック図である。
【００３９】
図１において、照明制御システム１は、照明器具２およびセンサ装置３からなる照明装置４、主制御装置５および手動スイッチ６を有して構成されている。そして、信号線７により、センサ装置３および手動スイッチ６がそれぞれ主制御装置５に接続され、調光信号線３２により、照明器具２がセンサ装置３に接続されている。
【００４０】
そして、照明装置４は、それぞれの照明エリア毎に配設されている。すなわち、図２に示すように、照明器具２は、それぞれの照明エリア８の天井面９に配設され、それぞれの照明エリア８を照明する。照明器具２は、点灯装置１０よび蛍光ランプ１１を配設している。また、センサ装置３は、同じく、それぞれの照明エリア８の天井面９に配設されている。照明器具２は、センサ装置３または主制御装置５からの照明制御により、点消灯または調光される。なお、照明エリア８は、通常、複数個の照明器具２による照明により形成されている。
【００４１】
センサ装置３は、図３に示すように、センサ装置本体１２、カバー１３および取付ばね１４，１４等を有して形成されている。そして、カバー１３には、外表面１３ａに露出するようにして、人感センサ１５、照度センサ１６、受信素子１７、送信用ＬＥＤ１８および表示用ＬＥＤ１９などが配設されている。また、センサ装置本体１２は、内部に照明制御装置２０（図２に示す。）を収納し、側面１２ａに端子群２１を配設している。端子群２１は、照明制御装置２０と、照明器具２の点灯装置１０および主制御装置５をそれぞれ調光信号線３２および信号線７を介して接続する出力端子などにより形成されている。
【００４２】
人感センサ１５は、照明エリア８に存在する人を検出して検出信号を照明制御装置２０に送出するように構成されている。すなわち、人感センサ１５は、照明エリア８内の人の存否を検出する。また、照度センサ１６は、照明器具２が照明する照明エリア８内からの反射光により当該照明エリア８内の照度を間接的に検出し、照明制御装置２０に送出するように構成されている。
【００４３】
そして、受信素子１７および送信用ＬＥＤ１８は、ワイヤレス送信機（リモコン）との制御信号などを送受信するように構成されている。また、表示用ＬＥＤ１９は、センサ装置３が動作しているときに点灯する。
【００４４】
照明制御装置２０は、図４に示すように、人体検出部２２、照度入力部２３、ワイヤレス受信部２４、ワイヤレス送信部２５、表示部２６、記憶部２７、伝送部２８、調光信号出力部２９、電源部３０および制御手段としての制御部３１を有して構成されている。人体検出部２２、照度入力部２３、ワイヤレス受信部２４、ワイヤレス送信部２５および表示部２６は、それぞれ人感センサ１５、照度センサ１６、受信素子１７、送信用ＬＥＤ１８および表示用ＬＥＤ１９に接続され、制御信号などを送受信するように構成されている。
【００４５】
記憶部２７は、自身のセンサ装置３のアドレス、主制御装置５から送出された目標照度、予め設定された調光率などの諸データが記憶されている。伝送部２８は、主制御装置５に信号線７で接続され、制御信号や照明器具２の調光率などのデータを送受信するように構成されている。調光信号出力部２９は、照明器具２の点灯装置１０に調光信号線３２で接続され、調光信号を送信するように構成されている。
【００４６】
電源部３０は、商用交流電源Ｖｓに接続され、交流電圧を直流電圧に変換すると共に、所定の電圧値に調整して、制御部３１やその他の回路部に駆動電源を供給するように構成されている。
【００４７】
制御部３１は、ＣＰＵおよびプログラムが格納されたＲＯＭなどを具備している。そして、人感センサ１５が人の存在を検出して、人感センサ１５から検出信号が送出されると、アドレスとともに、当該検出信号を伝送部２８から信号線７を介して主制御装置５に伝送するように構成されている。また、制御部３１は、人感センサ１５が人の存在を検出したときに、記憶部２７に記憶されている目標照度で照明器具２を点灯させるように構成されている。すなわち、照明エリア８の照度が目標照度となるように、照度センサ１６の検出値（出力）に応じて蛍光ランプ１１の調光率を演算し、この調光率に応じた調光信号例えばＰＷＭ調光信号を演算生成して、調光信号出力部２９を介して照明器具２の点灯装置１０に伝送する（第２の制御）ように構成されている。また、図２において、窓３３に設けられたブラインド３４が閉じられた状態や夜間など、照明エリア８内に昼光などの外光がほとんど無い状態においても、照明エリア８の照度が目標照度となるように照明器具２の調光率を変化させる（第１の制御）。照明器具２の調光率は、常時、主制御装置５に送出されている。第１の制御は、照明エリア８が照明器具２のみによって照明されている状態であり、第２の制御において、昼光などの外光が無い状態である。当該目標照度は、主制御装置５で予め設定されて照明制御装置２０に伝送され、記憶部２７に記憶されている。
【００４８】
図１において、手動スイッチ６は、それぞれの照明エリア８毎に対応して設けられ、スイッチボックス３５に集合されて例えば壁面に配設されている。そして、手動スイッチ６は、信号線７を介して、主制御装置５に照明器具２を強制消灯させる制御信号を手動スイッチ６に付与されたアドレスとともに送出するように構成されている。この制御信号の送出は、手動スイッチ６をオフすることによって行われ、当該制御信号の送出の解除は、手動スイッチ６をオンすることによって行われるように構成されている。そして、当該制御信号の送出、その解除の状態、すなわち手動スイッチ６のオンオフの状態は、手動スイッチ６の表面に設けられた発光が異なる表示ランプ３６ａ，３６ｂにより視認可能となっている。
【００４９】
主制御装置５は、照明システム全体を統括管理するものであり、信号線７を介してそれぞれの照明エリア８に配設されているセンサ装置３に接続されている。そして、主制御装置５は、図５に示すように、制御手段としての主制御部３７、電源部３８、不揮発性の記憶部３９、計時部４０、伝送インターフェース（Ｉ／Ｆ）部４１、外部入力インターフェース（Ｉ／Ｆ）部４２、設定操作部４３、表示部４４、演算手段としての演算部４５および記録手段としての記録部４６などを有して構成されている。
【００５０】
電源部３８は、図示しない外部電源に接続され、主制御部３７などに電源を供給して動作させる。
【００５１】
記憶部３９は、センサ装置３のアドレス、照明器具２の目標照度、照明器具２の定格電力、照明器具２を消灯または予め設定した調光率で調光点灯させる時刻や再点灯させる時刻（タイムスケジュール）、照明器具２の消費電力を演算する日にちおよび当該日にちの演算する所定期間（時間帯）などの各種データが記憶されている。また、演算部４５で演算された照明器具２の消費電力量、消費電力比率や消費電力低減率（省エネ率）、省電力機能による低減された電力量などが記憶されるように構成されている。
【００５２】
計時部４０は、時刻を計時するように構成されている。伝送インターフェース（Ｉ／Ｆ）部４１は、信号線７に接続され、センサ装置３や手動スイッチ６との間で制御信号などの送受を行うように構成されている。外部入力インターフェース（Ｉ／Ｆ）部４２は、例えば主制御装置５の外面に設けられた外部スイッチ（図示しない。）に接続されている。この外部スイッチの操作により、照明器具２の点灯または消灯が行える。
【００５３】
設定操作部４３は、センサ装置３のアドレス、予め設定される照明器具２の目標照度および調光率、照明器具２の定格電力、予め設定された照明器具２を消灯または調光点灯させる時刻および再点灯させる時刻（タイムスケジュール）、照明器具２の消費電力を演算する日にちおよび当該日にちの演算する所定期間（時間帯）などの各種データなどを入力するものである。そして、表示部４４は、上述の各種データや照明器具２の点灯状態などを表示するように構成されている。
【００５４】
主制御部３７は、ＣＰＵおよびプログラムが格納されたＲＯＭなどを具備している。そして、センサ装置３の人感センサ１５から人の存在の検出信号が伝送されると、信号線７を介して、当該照明制御装置２０の制御部３１に制御信号を送出し、照明エリア８の照度が照度センサ１６からの出力（検出値）に応じて目標照度となるように制御させる。そして、人感センサ１５が人の存在を検出しないときに当該照明エリア８の照明器具２の電源を遮断させる制御信号を送出して、照明器具２を消灯させる（第４の制御）ように構成されている。また、同じく、照明器具２を消灯させる予め設定された時刻（例えば、１２時）および再点灯させる時刻（例えば、１３時）の所定期間にわたり、照明器具２を消灯させる（第３の制御）ように構成されている。さらに、手動スイッチ６から照明器具２を強制消灯させる制御信号が送出されたときに、当該手動スイッチ６に対応する照明器具２を消灯させる（第５の制御）ように構成されている。
【００５５】
演算部４５は、予め設定された日にちおよび予め設定された所定期間（時間帯）にわたって、照明器具２の消費電力量、消費電力低減率（省エネ率）などを演算するように構成されている。ここで、予め設定された日にちは、例えば、通常の勤務日であり、予め設定された所定期間は、例えば、通常の勤務時間である８時〜１７時あるいは１９時とすることができる。
【００５６】
そして、演算部４５は、照明器具２の定格電力に照明器具２の調光率を乗じて当該照明器具２の消費電力を算出し、さらに点灯期間を乗じて消費電力量（実際の消費電力量）を算出するように構成されている。ここで、照明器具２の定格電力は、当該照明器具２に配設されている点灯装置１０および蛍光ランプ１１の定格値により予め算出されて記憶部３９に記憶させている。また、照明器具２の調光率は、蛍光ランプ１１が全光点灯されているときを１００％、蛍光ランプ１１が消灯されているときを０％としている。なお、照明器具２の消費電力と調光率がリニアの関係でない場合は、例えば調光率１％毎に消費電力を設定し、積分して照明器具２の消費電力量を算出する。
【００５７】
さらに、演算部４５は、照明器具２の消費電力量を定格電力量で除算して、照明器具２の定格電力に対する消費電力比率を演算し、この消費電力比率から消費電力低減率（省エネ率）を演算するように構成されている。すなわち、消費電力低減率（％）は、１００（％）−消費電力比率（％）で算出される。また、第１〜第５のそれぞれの期間にわたり、照明エリア８が照明器具２のみによって目標照度で照明されていると仮定したときの照明器具２の消費電力量（仮定の消費電力量）を演算して、それぞれの期間において仮定の消費電力量から実際の消費電力量を減じて、それぞれの省電力機能を利用することによって低減された電力量を演算するように構成されている。そして、当該低減された電力量を照明器具２の定格電力量で除算して、それぞれの省電力機能による消費電力低減率（省エネ率）が演算される。
【００５８】
そして、演算部４５は、所定期間（例えば、１０分）毎に、照明器具２の消費電力量、消費電力比率および消費電力低減率（省エネ率）などを演算するように構成されている。これにより、第１〜第５の制御の期間における照明器具２の消費電力量、消費電力比率および消費電力低減率（省エネ率）、省電力機能による低減された電力量などが得られ、これらが省電力機能毎に分析可能となるものである。
【００５９】
演算部４５により演算された照明器具２の消費電力量、消費電力比率および消費電力低減率（省エネ率）あるいは省電力機能による低減された電力量などは、順次、記憶部３９に記憶される。そして、記録部４６は、それらを記憶部３９から順次読み出し、着脱可能な記録媒体４７、例えばフロッピー（登録商標）ディスクに記録させるように構成されている。
【００６０】
次に、本発明の一実施の形態の作用について述べる。
【００６１】
主制御装置５の演算部４５は、上述したように、予め算出されている照明器具２の電力に照明器具２の点灯期間を乗じて実際の消費電力量を算出するとともに、当該消費電力量を定格電力量で除算して消費電力比率を演算し、この消費電力比率から消費電力低減率（省エネ率）を演算する。また、当該期間、照明器具２のみによって目標照度で照明されていると仮定したときの照明器具２の仮定の消費電力量を演算して、省電力機能を利用することによって低減された電力量を演算する。そして、照明器具２の消費電力量、消費電力比率および消費電力低減率（省エネ率）あるいは省電力機能による低減された電力量などは、記録部４６により記録媒体４７に記録される。
【００６２】
図２において、照明エリア８に昼光などの外光がほとんど無く、照明エリア８が照明器具２のみによって目標照度で照明されている（第１の制御）ときの照明器具２の消費電力量は、照明器具２の定格電力に照明器具２の調光率および所定期間（例えば、１０分）あるいは第１の制御の期間を乗じて算出される。そして、消費電力量を定格電力量で除算して消費電力比率が演算され、１００（％）−消費電力比率（％）から消費電力低減率（省エネ率）が演算される。この消費電力低減率（省エネ率）により、照明エリア８を目標照度（適正照度）で照明することによる省電力が認識される。第１の制御の期間における実際の消費電力量は、照明エリア８が照明器具２のみによって目標照度で照明されていると仮定したときの照明器具２の仮定の消費電力量を意味している。
【００６３】
そして、窓３３から太陽光などの外光が照明エリア８に入光されると、センサ装置３の照明制御装置２０の制御部３１は、照度センサ１６からの出力に応じて照明エリア８の照度が目標照度となるように照明器具２の調光率を変化させる（第２の制御）。この第２の制御の期間における照明器具２の実際の消費電力量は、照明器具２の定格電力に照明器具２の調光率を所定期間（例えば、１０分）あるいは第２の制御の期間にわたって乗じることにより算出される。そして、消費電力量を定格電力量で除算して消費電力比率が演算され、１００（％）−消費電力比率（％）から消費電力低減率（省エネ率）が演算される。
【００６４】
そして、演算部４５は、昼光などの外光の利用によって低減された照明器具２の電力量および電力低減率（省エネ率）を演算する。すなわち、第２の制御の期間、照明エリア８が照明器具２のみによって目標照度で照明されていると仮定したときの照明器具２の消費電力量から実際の上記消費電力量を減じた電力量を省電力機能としての外光の利用によって低減された照明器具２の電力量とし、この電力量を照明器具２の定格電力量で除算した値を外光の利用による省電力低減率（省エネ率）とするものである。これにより、昼光などの外光の利用によって照明制御することによる省電力が認識される。
【００６５】
ここで、演算部４５は、照明エリア８が照明器具２のみによって目標照度で照明されているときの照明器具２の調光率を、前日または予め設定された日にちの直近日の１日のうちで最も大きい照明器具２の調光率でもって設定する。照明器具２の調光率が１日のうちで最も大きいときは、夜間など、照明エリア８に外光がほとんど無いときである。また、当該照明器具２の調光率は、蛍光ランプ１１の光束維持率の経時変化に応じて上昇するものであるが、前日または直近日においては、ほとんど変化しないものである。したがって、当該照明器具２の調光率を演算により算出する必要がないので、簡易化される。なお、予め設定された日にちの直近日は、休日などの勤務日以外を除くことを意味する。
【００６６】
また、タイムスケジュールにしたがい、予め設定された時刻に照明器具２が消灯され、所定期間後に再点灯される（第３の制御）とき、この第３の期間、最大、照明器具２のみによって照明エリア８が目標照度で照明されている照明器具２の消費電力量分が低減される。したがって、演算部４５は、第３の期間における照明器具２の消費電力量を零に演算するとともに、消費電力低減率（省エネ率）を１００％とする。なお、予め設定された時刻に照明器具２が予め設定された調光率で調光点灯されるときは、演算部４５により、上記第２の制御と同様に、照明器具２の消費電力量、消費電力比率および消費電力低減率（省エネ率）が演算され、省電力機能としてのタイムスケジュールによって低減された照明器具２の電力量および電力低減率（省エネ率）が演算される。これらの演算により、タイムスケジュールの利用によって照明制御することによる省電力が認識される。
【００６７】
また、センサ装置３の人感センサ１５が人の存在を検出しないときに主制御装置５の主制御部３７の制御により照明器具２が消灯される（第４の制御）とき、この第４の期間、最大、照明器具２のみによって照明エリア８が目標照度で照明されている照明器具２の消費電力量分が低減される。したがって、演算部４５は、第４の期間における照明器具２の消費電力量を零に演算するとともに、消費電力低減率（省エネ率）を１００％とする。なお、人感センサ１５が人の存在を検出しないときに照明器具２が予め設定された調光率で調光点灯されるときは、演算部４５により、上記第２または第３の制御と同様に、照明器具２の消費電力量、消費電力比率および消費電力低減率（省エネ率）が演算され、人感センサ１５の機能によって低減された照明器具２の電力量および電力低減率（省エネ率）が演算される。これらの演算により、人感センサ１５により照明制御することによる省電力が認識される。
【００６８】
また、手動スイッチ６から照明器具２を強制消灯させる制御信号が送出され、主制御装置５の主制御部３７の制御により照明器具２が消灯される（第５の制御）とき、この第５の期間にわたって、最大、照明器具２のみによって照明エリア８が目標照度で照明されている照明器具２の消費電力量分が低減される。したがって、演算部４５は、第５の期間における照明器具２の消費電力量を零に演算するとともに、消費電力低減率（省エネ率）を１００％とする。これにより、手動スイッチ６によって照明制御することによる省電力が認識される。
【００６９】
上述したように、主制御装置５の演算部４５は、第１〜第５の制御の期間およびこの期間における照明器具２の調光率から、所定期間（例えば、１０分）毎に、それぞれ第１〜第５の制御における照明器具２の消費電力量、消費電力比率および消費電力低減率（省エネ率）を演算するとともに、目標照度（適正照度）、昼光などの外光（照度センサ１６）、タイムスケジュール、人感センサ１５および手動スイッチ６の利用による省電力機能別に低減された照明器具２の電力量および電力低減率（省エネ率）を演算する。そして、これらの照明器具２の消費電力量および消費電力低減率（省エネ率）などは、記録部４６により着脱可能な記録媒体４７に記録され、さらに記録媒体４７からペーパーなどにコピーされる。したがって、省電力機能毎に照明エリア８の省電力の状況が記録され、この記録を基に省電力の状況を監視可能である。また、所定期間（例えば、１０分）毎に、省電力の状況が記録されることにより、省電力機能別に、詳細に分析される。
【００７０】
そして、省電力の状況は、予め設定された日にちおよび予め設定された所定期間において記録されるので、休日や深夜など、勤務日および勤務時間帯以外の記録が除去される。
【００７１】
なお、制御手段としての主制御装置５の主制御部３７およびセンサ装置３の制御部３１は、上述した第１〜第５の制御のうち、少なくとも第２の制御を有していればよい。
【図面の簡単な説明】
【００７２】
【図１】本発明の一実施の形態を示す照明制御システムの概略構成図。
【図２】同じく、照明エリアの照明装置の構成図。
【図３】同じく、センサ装置の斜視図。
【図４】同じく、照明制御装置の構成ブロック図。
【図５】同じく、主制御装置の構成ブロック図。
【符号の説明】
【００７３】
１…照明制御システム
６…手動スイッチ
１５…人感センサ
１６…照度センサ
３１…制御手段としての制御部
３７…制御手段としての主制御部
３９…記憶手段としての記憶部
４５…演算手段としての演算部
４６…記録手段としての記録部
【図１】
2005135816.tif 000003
【図２】
2005135816.tif 000004
【図３】
2005135816.tif 000005
【図４】
2005135816.tif 000006
【図５】
2005135816.tif 000007